(57)【要約】【課題】レシピ照合作業を効率化する。【解決手段】液晶注入システムは複数の液晶注入装置ＬＣ１、ＬＣ２、・・・、ＬＣｎ、ネットワークＮＷ、汎用コンピュータＰＣとを備える。液晶注入装置ＬＣ１〜ＬＣｎは、液晶注入処理を行うための炉と、炉を操作、運転するための操作パネルＬＣＰ１〜ＬＣＰｎを有する。操作パネルＬＣＰ１は、格納されたレシピに基づいて、バルブ、モータ、ポンプ等の装置を制御して、炉ＬＣＦ１の圧力等を制御するとともに、炉ＬＣＦ１内に設けられた液晶皿によって接液処理を行う。操作パネルには、タッチパネルＴＰ１を備えたグラフィックモニタＧＭ１が設けられ、オペレータは液晶注入装置の種々の設定、操作を行うことができる。汎用コンピュータは、ネットワークＮＷを介して、各液晶注入装置に格納されたレシピを参照し、汎用コンピュータ上において、レシピの照合、確認等が可能である。【選択図】図１
2010266805.tif 000002
【特許請求の範囲】
【請求項１】
メモリに記憶したレシピにしたがって液晶注入を行う複数の液晶注入装置を用いた液晶注入システムで用いるレシピ照合用プログラムにおいて、
前記複数の液晶注入装置の各メモリから、照合対象となるレシピをそれぞれ読み込む読込処理と、
前記各メモリから読み込んだ複数の液晶注入装置のレシピのそれぞれを比較して照合する照合処理と、
照合処理によるレシピ照合結果を出力する出力処理とを備えることを特徴とするレシピ照合用プログラム。
【請求項２】
メモリに記憶したレシピにしたがって液晶注入を行う複数の液晶注入装置と、
前記複数の液晶注入装置の各メモリから、照合対象となるレシピをそれぞれ読み込む読込手段と、
前記各メモリから読み込んだ複数の液晶注入装置のレシピのそれぞれを比較して照合する照合手段と、
前記照合処理によるレシピ照合結果を出力する出力手段とを備えることを特徴とする液晶注入システム。
【請求項３】
請求項２記載の液晶注入システムにおいて、
前記複数の液晶注入装置とネットワークで接続され、前記読込手段、前記照合手段、および前記出力手段として機能するコンピュータをさら備えることを特徴とする液晶注入システム。
【請求項４】
請求項３記載の液晶注入システムにおいて、
前記出力手段は、前記照合結果を異なる表示形態で出力するように構成され、
前記表示形態を選択する選択手段を有することを特徴とする液晶注入システム。
【請求項５】
請求項３記載の液晶注入システムにおいて、
前記読込手段は、前記コンピュータに接続されている全ての液晶注入装置の現在のレシピをダウンロードするボタンを含み、
前記照合手段は、前記ボタンの操作によりダウンロードした、各液晶注入装置で選択されているレシピの照合を行うことを特徴とする液晶注入システム。
【請求項６】
請求項２記載の液晶注入システムにおいて、
前記複数の液晶注入装置の少なくとも一つは、前記読込手段、前記比較手段、および前記出力手段を含むコンピュータを有することを特徴とする液晶注入システム。
【発明の詳細な説明】
【技術分野】
【０００１】
本発明は、複数の液晶注入装置に設定された液晶注入処理を実行するレシピの照合を行うプログラムおよびそのプログラムを利用する液晶注入システムに関する。
【背景技術】
【０００２】
従来の液晶注入システムは、レシピ（圧力、バルブ開度等のタイムスケジュール）を個々に液晶注入装置に設定し、あるいは、個々の液晶注入装置で入力、編集したレシピに基づいて稼働する。
特許文献１には、液晶注入装置の一例が記載されている。
【先行技術文献】
【特許文献】
【０００３】
【特許文献１】特開２００１−２１４９７５号公報
【発明の概要】
【発明が解決しようとする課題】
【０００４】
液晶注入システムの稼働過程において、各液晶注入装置のレシピの確認や、過去に設定したレシピが変更されているか否かの確認等、レシピ確認、照合を要することがある。
【０００５】
しかし、従来の液晶注入システムは、レシピ確認、照合は、個々の液晶注入装置を操作して、レシピを参照する必要があり、作業が繁雑であった。
【課題を解決するための手段】
【０００６】
（１）請求項１に記載の発明は、複数の液晶注入装置を用いた液晶注入システムで用いるレシピ照合用プログラムに関する。各液晶注入装置は、メモリに記憶したレシピにしたがって液晶注入処理を行う。レシピ照合用プログラムは、前記複数の液晶注入装置の各メモリから、照合対象となるレシピをそれぞれ読み込む読込処理と、前記各メモリから読み込んだ複数の液晶注入装置のレシピのそれぞれを比較して照合する照合処理と、照合処理によるレシピ照合結果を出力する出力処理とを備えることを特徴とする。
（２）請求項２に記載の液晶注入システムは、メモリに記憶したレシピにしたがって液晶注入を行う複数の液晶注入装置と、前記複数の液晶注入装置の各メモリから、照合対象となるレシピをそれぞれ読み込む読込手段と、前記各メモリから読み込んだ複数の液晶注入装置のレシピのそれぞれを比較して照合する照合手段と、前記照合処理によるレシピ照合結果を出力する出力手段とを備えることを特徴とする。
（３）請求項３の発明は、請求項２記載の液晶注入システムは、前記複数の液晶注入装置とネットワークで接続され、前記読込手段、前記照合手段、および前記出力手段として機能するコンピュータをさら備えることを特徴とする。
（４）請求項４の発明は、請求項３記載の液晶注入システムにおいて、前記出力手段は、前記照合結果を異なる表示形態で出力するように構成され、前記表示形態を選択する選択手段を有することを特徴とする。
（５）請求項５の発明は、請求項３記載の液晶注入システムにおいて、前記読込手段は、前記コンピュータに接続されている全ての液晶注入装置の現在のレシピをダウンロードするボタンを含み、前記照合手段は、前記ボタンの操作によりダウンロードした、各液晶注入装置で選択されているレシピの照合を行うことを特徴とする。
（６）請求項６の発明は、請求項２記載の液晶注入システムにおいて、前記複数の液晶注入装置の少なくとも一つは、前記読込手段、前記比較手段、および前記出力手段を含むコンピュータを有することを特徴とする。
【発明の効果】
【０００７】
本発明によれば、レシピ照合作業を効率化することができる。
【図面の簡単な説明】
【０００８】
【図１】本発明による液晶注入システムの第１の実施の形態を示すブロック図。
【図２】図１の汎用コンピュータを示すブロック図。
【図３】図１の液晶注入装置のグラフィックパネルの表示画面を示す図。
【図４】図１の液晶注入装置のグラフィックパネルの他の表示画面を示す図。
【図５】図１の液晶注入装置のグラフィックパネルのさらに他の表示画面を示す図。
【図６】図１の液晶注入装置における工程の例を示すグラフ。
【図７】図１の液晶注入装置のグラフィックパネルのさらに他の表示画面を示す図。
【図８】図１の液晶注入システムにおけるレシピ照合状況を示すブロック図。
【図９】図１の液晶注入システムにおける他のレシピ照合状況を示すブロック図。
【図１０】図１の液晶注入システムにおけるレシピ照合処理時の、汎用コンピュータの表示画面を示す図。
【図１１】図１の液晶注入システムにおけるレシピ照合処理時の、汎用コンピュータの他の表示画面を示す図。
【図１２】図１の液晶注入システムにおけるレシピ照合処理時の、汎用コンピュータのさらに他の表示画面を示す図。
【図１３】図１の液晶注入システムにおけるレシピ照合処理時の、汎用コンピュータのさらに他の表示画面を示す図。
【図１４】図１の液晶注入システムにおけるレシピ照合処理時の、汎用コンピュータのさらに他の表示画面を示す図。
【図１５】図１の液晶注入システムにおけるレシピ照合処理時の、汎用コンピュータのさらに他の表示画面を示す図。
【図１６】図１の液晶注入システムにおける汎用コンピュータのレシピ照合処理を示すフローチャート。
【図１７】本発明による液晶注入システムの第２の実施の形態を示すブロック図。
【図１８】図１７の液晶注入システムにおけるレシピの格納状況および照合状況を示すブロック図。
【図１９】本発明による液晶注入システムの第３の実施の形態を示すブロック図。
【図２０】図１９の液晶注入システムにおけるレシピの格納状況および照合状況を示すブロック図。
【図２１】本発明による液晶注入システムの処理を示すフローチャート。
【図２２】図２１のレシピ処理を示すフローチャート。
【図２３】図１９の液晶注入システムにおけるレシピ照合処理時の操作パネルの表示画面を示す図。
【発明を実施するための形態】
【０００９】
次に、本発明の実施の形態による液晶注入システムを添付図面に従って詳細に説明する。
−第１の実施の形態−
図１〜図１６は本発明の第１の実施の形態を示す。
図１に示すように、液晶注入システムは複数の液晶注入装置ＬＣ１、ＬＣ２、・・・、ＬＣｎと、これら液晶注入装置ＬＣ１〜ＬＣｎが接続されたネットワークＮＷと、ネットワークＮＷに接続された汎用コンピュータＰＣとを備える。
【００１０】
液晶注入装置ＬＣ１〜ＬＣｎは、液晶注入処理を行うための炉ＬＣＦ１〜ＬＣＦｎと、炉ＬＣＦ１〜ＬＣＦｎを操作、運転するための操作パネルＬＣＰ１〜ＬＣＰｎを有する。液晶注入装置ＬＣ１〜ＬＣｎは同様に構成されているので、以下、液晶注入装置ＬＣ１について代表的に説明する。
【００１１】
操作パネルＬＣＰ１は、格納されたレシピ（液晶注入工程の設定データ）Ｒ１１〜Ｒ１ｕ（図８）に基づいて、バルブ、モータ、ポンプ等の装置（図示せず。）を制御して、炉ＬＣＦ１の圧力等を制御するとともに、炉ＬＣＦ１内に設けられた液晶皿（図示せず。）によって接液処理を行う。操作パネルＬＣＰ１には、タッチパネルＴＰ１を備えたグラフィックモニタＧＭ１が設けられ、オペレータは液晶注入装置ＬＣ１の種々の設定、操作を行うことができる。
【００１２】
図２に示すように、汎用コンピュータＰＣにおいては、バス２００にＣＰＵ２０２、バスアービタ２０４、システムメモリ２０６、ブートＲＯＭ２０８が接続され、ＣＰＵ２０２によって汎用コンピュータＰＣ全体を制御するとともに、種々の演算、処理を実行する。バスアービタ２０４は、バス２００に接続されるコンポーネント相互の通信を調停する。システムメモリ２０６は、ＣＰＵ２０２で実行するプログラム、処理されるデータその他を記憶する。ブートＲＯＭ２０８は、汎用コンピュータＰＣの起動時にＣＰＵ２０２で実行すべきブートプログラムが格納される。
【００１３】
バス２００には、汎用Ｉ／Ｆ２１０、通信Ｉ／Ｆ２１２、液晶モニタ等の表示部２１４、音声出力部２１６が接続されている。汎用Ｉ／Ｆ２１０には、キーボード等の操作入力装置２１８、記憶媒体装置２２０が接続される。通信Ｉ／Ｆ２１２には、ネットワークＮＷを接続するためのモデム２２２が接続されている。ネットワークＮＷとしては、ＬＡＮ、ＷＡＮ、インターネットＶＰＮ、その他のネットワークを採用し得る。
【００１４】
操作パネルＬＣＰ１のグラフィックモニタＧＭ１には、例えば、図３〜図６に示す画像が表示され、表示されたボタン等に対応した位置でタッチパネルＴＰ１に触れることによって、種々の入力が可能である。
【００１５】
図３に示すように、液晶注入装置ＬＣ１の「自動運転」を行う場合、例えば、ボタン３００、３０２、３０４、３０６によって、起動準備、運転開始、運転完了確認、一時停止を入力し得る。また画面には、自動運転、手動運転、警報、レシピ処理（後述する。）、パラメータ設定（後述する。）、運転／保守切替のモード切替のためのボタン３０８、３１０、３１２、３１４、３１６、３４８、テンキーおよびクリア、エンターキー３１８〜３４２、パラメータ表示３４４、バルブ表示３４６等が表示される。
【００１６】
図４に示すように、パラメータ設定によって運転で使用するパラメータの設定を行う場合、画面には、例えば、ボタン３０８、３１０、３１２、３１４、３１６とともに、テンキーおよびクリア、エンターキー５００〜５２６、入力位置設定のための方向キー５２８、５３０が表示される。パラメータは、圧力設定データのビット数、異常信号出力までの遅延時間、通信モード、最大圧力等である。
【００１７】
図５に示すように、「レシピ処理」によって液晶注入工程のレシピを作成する場合には、画面には、例えば、ボタン３０８、３１０、３１２、３１４、３１６とともに、アルファニューメリックキー４００、入力位置設定のための方向キー４０２、４０４、クリア、エンターキー４０６、４０８、入力欄４１０が表示される。
【００１８】
図６に示すように、液晶注入工程のレシピにおいては、複数のステップ（図６ではＳＴＥＰ１〜ＳＴＥＰ５）について、目標圧力、使用バルブＮＯ．またはＣＶバルブ開度等のタイムスケジュールを設定する。また、適宜コメントを付記する。図６において、ＬＳ１、ＬＳ２、ＬＳ３、ＬＳ４は、液晶皿上昇開始、液晶皿上昇完了、液晶皿下降開始、液晶皿下降完了のタイミングを示す。
【００１９】
液晶注入工程の稼働（運転）等に際して異常が発生した場合には、操作パネルＬＣＰ１においてブザーを鳴らすとともに、図７に示すように、グラフィックモニタＧＭ１の画面に、ボタン３０８、３１０、３１２、３１４、３１６とともに、異常の内容の表示ランプ７００、およびそのメッセージ表示欄７０２が表示される。表示７００には、モータ停止その他の表示が設けられ、異常に対応する表示ランプ７００が赤く点灯する。メッセージ表示欄７０２には、異常に関するメッセージが表示される。
【００２０】
図８に示すように、液晶注入装置ＬＣ１〜ＬＣｎにおいて、「レシピ処理」によって作成されたレシピは、各操作パネルＬＣＰ１〜ＬＣＰｎに格納されている。図８では、操作パネルＬＣＰ１にレシピＲ１１〜Ｒ１ｕが格納され、操作パネルＬＣＰ２にレシピＲ２１〜Ｒ２ｖが格納され、・・・、操作パネルＬＣＰｎにレシピＲｎ１〜Ｒｎｗが格納されている。
なお、レシピは各操作パネルＬＣＰ１〜ＬＣＰｎで作成されたものだけでなく、別途データとして用意されたものも使用可能である。
【００２１】
汎用コンピュータＰＣは、ネットワークＮＷを介して、液晶注入装置ＬＣ１〜ＬＣｎに格納されたレシピＲ１１〜Ｒ１ｕ、Ｒ２１〜Ｒ２ｖ、・・・、Ｒｎ１〜Ｒｎｗを参照し、汎用コンピュータＰＣ上において、レシピＲ１１〜Ｒ１ｕ、Ｒ２１〜Ｒ２ｖ、・・・、Ｒｎ１〜Ｒｎｗの照合、確認等が可能である。
【００２２】
図８では、汎用コンピュータＰＣ上に、全てのレシピＲ１１〜Ｒ１ｕ、Ｒ２１〜Ｒ２ｖ、・・・、Ｒｎ１〜Ｒｎｗをダウンロードして参照する状況を示している。この場合、レシピＲ１１〜Ｒ１ｕ、Ｒ２１〜Ｒ２ｖ、・・・、Ｒｎ１〜Ｒｎｗは、その判別のために、例えば、液晶注入装置ＬＣ１〜ＬＣｎごとに、グループＲＧ１〜ＲＧｎにクラス分けされる。
【００２３】
図９に示すように、汎用コンピュータＰＣにおけるレシピ参照は、特定のレシピのみダウンロードして行うことも可能である。図９では、グループＲＧｉのレシピＲｉｊと、グループＲＧｋのレシピがダウンロードされ、両者が参照されている。
【００２４】
図１０に示すように、汎用コンピュータＰＣ上で参照すべきレシピを特定するために、汎用コンピュータＰＣの画面には、例えば、Ｒｉｊ等のレシピ名、ＲＧｉ等のレシピグループＮＯ．、レシピに含まれるステップＮＯ．、使用バルブ、圧力最大値等の項目を選択設定し得る複数の項目入力ボックス１００、これら項目に対する数値等の複数の入力ボックス１０２、入力ボックス１０２をスクロールするためのスクロールバー１０４、これらの設定内容を全てクリアするクリアボタン１０６、照合実行ボタン１０７、照合処理を終了する照合終了ボタン１０９等が表示される。
【００２５】
図１０の条件設定を行わずに実行ボタン１０７を押すと、例えば、全レシピの照合が行われる。さらに、画面には、各液晶注入装置ＬＣ１〜ＬＣｎで選択されているレシピを照合するカレントボタン１０８が設けられている。
【００２６】
図１１に示すように、実行ボタン１０７によって照合が実行されたときは、画面にはレシピの内容が照合され、内容の一致、不一致を確認し得る。画面には、例えば、照合対象のレシピが、同一のものごとに色分け（図ではハッチングによって個々の色彩を表現している。）されたカードとして表示され、これらカードは、一部を重ねつつ斜め一列に表示されるとともに、各カードにグループＮＯ．およびレシピ名が付記されている。このように、一部が重なった表示形態を採用すると、多くのレシピを同時に表示することができる。
【００２７】
このような表示形態を例えば「表示１」とするとき、画面には、複数の表示形態「表示１」〜「表示５」を選択するボタン１１０、表示形態を変更したときに、前回の表示形態に戻るボタン１１２、図１０の条件設定に戻るボタン１１４、照合処理を終了するボタン１１６、画面に表示されている照合結果を保存するボタン１１８等が表示される。
「表示１」〜「表示５」の表示態様はシステムテムメモリ２０６に格納されている。
【００２８】
図１１のボタン１１０で選択できる第２の表示形態「表示２」としては、例えば、図１２に示すように、図１１と同様のカード状のレシピを、同一レシピごとの斜めの列で表示することも可能である。図１２では、ボタン１１０、１１２、１１４、１１６、１１８の他に、上下スクロールバー１２０、左右スクロールバー１２２が設けられ、一画面を超える表示にも対応し得る。
【００２９】
図１１のボタン１１０で選択できる第３の表示形態「表示３」としては、例えば、図１３に示すように、図１１と同様のカード状のレシピを、同一レシピごとに水平一列に展開し、かつこれらの列を縦に並列して表示することも可能である。図１３では、各カード上にグループ番号、レシピ名が表示され、図１２と同様、ボタン１１０、１１２、１１４、１１６、１１８およびスクロールバー１２０、１２２が設けられている。
【００３０】
図１１のボタン１１０で選択できる第４の表示形態「表示４」としては、例えば、図１４に示すように、一対のレシピの対比表示が可能である。図１４では、対比表示すべきレシピＲｋｌ、Ｒｙｚのデータ１４０、１４２を、一覧表１４０Ｔ、１４２Ｔ、および図６と同様のグラフ１４０Ｇ、１４２Ｇで表示している。図１４においても、図１２と同様、ボタン１１０、１１２、１１４、１１６、１１８およびスクロールバー１２０、１２２が設けられている。
【００３１】
図１４の対比表示は、例えば、図１０のメニューで一対のレシピが指定されたとき、あるいは、表示１〜表示３の表示に際して、一対のカード状レシピ表示が選択されたときに実行される。カード状に表示されたレシピの選択は、ポインティングデバイス等によって行う。
【００３２】
図１０のボタン１０８によって、各液晶注入装置ＬＣ１〜ＬＣｎで選択されているレシピの照合が指定されたときは、例えば、図１５に示すように各液晶注入装置ＬＣ１〜ＬＣｎを示すカードが、同一レシピごとに色分け（図１５では、ハッチング有無およびハッチングの種類で色彩を示す。）して表示される。
【００３３】
また、図１５においても、図１２と同様、ボタン１１０、１１２、１１４、１１６、１１８およびスクロールバー１２０、１２２が設けられている。
なお、レシピの不一致を、ランプ点滅、ブザー等音声出力によって通知する等、より簡便な出力も採用し得る。
【００３４】
次に、第１の実施の形態の液晶注入システムの作動について説明する。
図１６に示すように、汎用コンピュータＰＣにおけるレシピ照合処理は以下の各ステップによって実行される。汎用コンピュータのメモリにはレジピ照合用プログラムが記憶されており、このプログラムを実行してレシピの比較照合処理が行われる。
【００３５】
ステップＳ１６０１：まず、図１０の照合対象入力画面を表示する。
ステップＳ１６０２：ステップＳ１６０１に続いて、図１０のカレントレシピボタン１０８が押されたか否かを判断する。ボタン１０８が押されたときはステップＳ１６１２に進み、ボタン１０８が押されなかったときはステップＳ１６０３に進む。
【００３６】
ステップＳ１６０３：図１０の照合実行のボタン１０７が押されたか否かを判断する。ボタン１０７が押されたときはＳ１６０４に進み、ボタン１０７が押されなかったときはステップＳ１６１３にジャンプする。
【００３７】
ステップＳ１６０４：照合対象のレシピデータをそのレシピグループに対応する液晶注入装置から取得（ダウンロード）する。
ステップＳ１６０５：照合対象のレシピデータを、デフォルトの表示態様（例えば「表示１」）で表示する（例えば、図１１）。
【００３８】
ステップＳ１６０６：ステップＳ１６０５に続いて、表示態様のボタン１１０において「表示１」〜「表示３」が選択されたか、あるいは「表示４」が選択されたか否かを判断する。「表示１」〜「表示３」が選択されたときは、ステップＳ１６０７に進み、「表示４」が選択されたときは、ステップＳ１６０９に進む。
それ以前の表示態様と同じ「表示１」〜「表示４」が選択されたときは、表示態様は変更されない。
【００３９】
ステップＳ１６０７：新たな表示態様をシステムメモリ２０６から取得し、ステップＳ１６０８に進む。
ステップＳ１６０８：選択された表示態様でレシピを表示する。その後ステップＳ１６１３に進む。
ステップＳ１６０９：対比表示すべきレシピを取得する。
ステップＳ１６１０：レシピを対比表示し、ステップＳ１６１２に進む。
ステップＳ１６１１：カレントレシピを表示し（図１５）、ステップＳ１６１３に進む。
【００４０】
ステップＳ１６１２：レシピの照合処理を終了すべきか否か、すなわち、ボタン１１６が押されたか否かを判断する。終了すべきときは、そのまま処理を終了し、終了すべきでないときは、ステップＳ１６０２に戻る。
【００４１】
第１の実施の形態による液晶注入システムによれば次のような作用効果を奏することができる。
（１）各液晶注入装置のレシピの比較照合を、各液晶注入装置とネットワーク接続された汎用コンピュータで行うようにした。この結果、オペレータが各液晶注入装置ＬＣ１〜ＬＣｎを操作する必要がない。
（２）各液晶注入装置のレシピを汎用コンピュータＰＣにダウンロードし、複数のレシピを液晶注入装置ごとにグループ分けして表示するようにした。その結果、各液晶注入装置のレシピを容易に照合することができる。
（３）照合結果を表示する際、同一のレシピに同じ色を付して表示すれば、レシピの一致、不一致を一目で判別できる。
【００４２】
（４）照合結果の表示形態を選択できるようにしたので、種々のユーザの好みや要望に対応することができる。
（５）各液晶注入装置で現在選択されているレシピを照合するボタンを設けたので、複数台の現在のレシピの一致、不一致を簡単に照合することができる。
【００４３】
−第２の実施の形態−
次に、本発明による液晶注入システムの第２の実施の形態を図１７、図１８に基づいて説明する。なお、図中、第１の実施の形態と同一もしくは相当部分には同一符号を付し、説明を省略する。第２の実施の形態は、複数の液晶注入装置群に対してサーバにおいてレシピ照合を実行する。
【００４４】
図１７、図１８において、複数の液晶注入装置群（例えば工場）Ｆ１〜ＦＮに、液晶注入装置ＬＣ１１〜ＬＣ１ｉ、ＬＣ２１〜ＬＣ２ｊ、・・・、ＬＣＮ１〜ＬＣＮｖが設けられ、各液晶注入装置ＬＣ１１〜ＬＣ１ｉ、ＬＣ２１〜ＬＣ２ｊ、・・・、ＬＣＮ１〜ＬＣＮｖには、複数のレシピが格納されている。例えば、液晶注入装置ＬＣ１１のレシピは、レシピＲ１１１〜Ｒ１１ｕである。
【００４５】
液晶注入装置ＬＣ１１〜ＬＣ１ｉには、ネットワークＮＷ１を介して汎用コンピュータＰＣ１が接続され、液晶注入装置ＬＣ２１〜ＬＣ２ｊにはネットワークＮＷ２を介して汎用コンピュータＰＣ２が接続され、液晶注入装置ＬＣＮ１〜ＬＣＮｖにはネットワークＮＷ１を介して汎用コンピュータＰＣＮが接続されており、各汎用コンピュータＰＣ１〜ＰＣＮには、ネットワークＮＷを介してサーバＳＶ（構成は、図２の汎用コンピュータＰＣと同様である。）が接続されている。サーバＳＶには、レシピ照合用プログラムが記憶されている。
【００４６】
サーバＳＶは、ネットワークＮＷを介して汎用コンピュータＰＣ１〜ＰＣＮをコントロールし、汎用コンピュータＰＣ１〜ＰＣＮを通じて、液晶注入装置ＬＣ１１〜ＬＣ１ｉ、ＬＣ２１〜ＬＣ２ｊ、・・・、ＬＣＮ１〜ＬＣＮｖのレシピをダウンロードし得る。サーバＳＶによるレシピ照合の処理は、第１の実施の形態と同様である。但し、照合対象は全グループ内の全レシピから任意に選択可能である。
【００４７】
なお、各汎用コンピュータＰＣ１〜ＰＣＮにおいて、その汎用コンピュータが属するグループ内のレシピを照合することは、第１の実施の形態と同様に可能である。
【００４８】
第２の実施の形態による液晶注入装置によれば、ネットワークＮＷを介して複数の液晶注入装置群Ｆ１〜ＦＮをサーバＳＶに接続し、サーバでレシピの照合を行うことによって、第１の実施の形態の効果に加えて、広範囲の複数の液晶注入装置群Ｆ１〜ＦＮについて、効率的にレシピ照合できる。
【００４９】
−第３の実施の形態−
次に、本発明による液晶注入システムの第３の実施の形態を図１９〜図２３に基づいて説明する。なお、図中、第１の実施の形態と同一もしくは相当部分には同一符号を付し、説明を省略する。第３の実施の形態は、相互にネットワークで接続された液晶注入装置における、１台もしくは複数の液晶注入装置の操作パネルでレシピ照合を実行する。
【００５０】
図１９、図２０において、複数の液晶注入装置ＬＣ１〜ＬＣｎがネットワークＮＷを介して相互に接続されており、液晶注入装置ＬＣ１〜ＬＣｎのうちの１台（例えばＬＣ１）の操作パネル（例えばＬＣＰ１）、あるいは複数（例えばＬＣ１〜ＬＣｎ）の操作パネル（例えばＬＣＰ１〜ＬＣＰｎ）には、第１の実施の形態における汎用コンピュータＰＣと同様のレシピ照合機能を有する。すなわち、操作パネルにはＣＰＵが設けられ、レシピ照合用プログラムを実行してレシピ照合処理が実行される。
ここでは、操作パネルＬＣＰ１（構成は、図２の汎用コンピュータＰＣと同様である。）でレシピを参照する態様について説明する。
【００５１】
図２０に示すように、操作パネルＬＣＰ１は、ネットワークＮＷを介して、液晶注入装置ＬＰ２〜ＬＰｎに格納されたレシピＲ２１〜Ｒ２ｖ、・・・、Ｒｎ１〜Ｒｎｗを参照し得る。第１の実施の形態と同様、操作パネルＬＣＰ１は、格納されたレシピＲ１１〜Ｒ１ｕに基づいて、バルブ、モータ、ポンプ等の装置を制御して、炉ＬＣＦ１の圧力等を制御するとともに、炉ＬＣＦ１内に設けられた液晶皿によって接液処理を行う。
【００５２】
図２１、図２２に示すように、操作パネルＬＣＰ１は、レシピ照合処理（図１６）を含む以下の処理を実行する。操作パネルＬＣＰ１に設けたＣＰＵのメモリにはレジピ照合用プログラムが記憶されており、このプログラムを実行してレシピの比較照合処理が行われる。
ステップＳ２１０１：まず、手動運転モードが実行される。手動運転モードの画面（図示せず。）においても、自動運転モードと同様、自動運転、手動運転、警報、レシピ処理、パラメータ設定、モード切替のためのボタン３０８、３１０、３１２、３１４、３１６、３４８が表示される。
【００５３】
ステップＳ２１０２：ステップＳ２１０１に続いて、手動運転モードの画面で、ボタン３０８、３１０、３１２、３１４、３１６、３４８によって他のメニューが選択されたか否か判断する。手動運転が実行されるときは、そのまま手動モードを続行し、自動運転が選択されたときはステップＳ２１０３に進み、手動運転が続行されるときはステップＳ２１０４に進み、保守モードが選択されたときはステップＳ２１０５に進み、パラメータ処理が選択されたときはステップＳ２１０６に進み、レシピ処理が選択されたときはステップＳ２１０７に進む。
【００５４】
ステップＳ２１０３：自動運転モードに移行し、液晶注入処理を実行する。処理終了後ステップＳ２１０８に進む。
ステップＳ２１０４：手動運転モードを続行し、液晶注入処理を実行する。処理終了後ステップＳ２１０８に進む。
【００５５】
ステップＳ２１０５：保守モードを実行する。その後ステップＳ２１０８に進む。
ステップＳ２１０６：パラメータ設定（図４）を実行する。その後ステップＳ２１０８に進む。
ステップＳ２１０７：レシピ作成（図５）やレシピ照合（図１０〜図１６）を含むレシピ処理を実行する。その後ステップＳ２１０８に進む。
【００５６】
ステップＳ２１０８：操作パネルＬＣＰ１における液晶注入システムの処理を終了するか否か判断する。システムを終了すべきときは、そのまま処理を終了し、終了すべきでないときは、ステップＳ２１０１に戻る。
【００５７】
ステップＳ２２０１：レシピ処理（ステップＳ２１０７）が実行されたときは、例えば、図２３に示すメニューが表示される。
ステップＳ２２０２：図２３のメニューで「編集」が選択されたときは、レシピ編集の画面（図５）が表示され、レシピ編集が可能になる。レシピ編集終了後、レシピ処理を終了する。
【００５８】
ステップＳ２２０３：図２３のメニューで「選択」が選択されたときは、液晶注入装置ＬＣ１の運転に適用するレシピの選択が可能となる。レシピ選択後、レシピ処理を終了する。
ステップＳ２２０４：図２３のメニューで「照合」が選択されたときは、レシピ照合処理（図１６）を実行する。その後、レシピ処理を終了する。
【００５９】
第３の実施の形態による液晶注入装置によれば、相互にネットワークで接続された液晶注入装置の操作パネルでレシピ照合を実行することができ、汎用コンピュータＰＣが不要となり、設備投資節減の効果を奏する。
【００６０】
第１および第２の実施形態では、メモリに記憶したレシピにしたがって液晶注入を行う複数の液晶注入装置に接続されたコンピュータでレシピ照合用プログラムを実行し、また、第３の実施の形態では、液晶注入装置の操作パネル内のメモリに記憶したレシピ照合用プログラムを実行してレシピの比較照合を行うようにした。レシピ照合用プログラムは、複数の液晶注入装置の各メモリから、照合対象となるレシピをそれぞれ読み込む読込処理と、各メモリから読み込んだ複数の液晶注入装置のレシピのそれぞれを比較して照合する照合処理と、照合処理によるレシピ照合結果を出力する出力処理とを備える。
【００６１】
第１の実施の形態で説明した処理内容の詳細は、第２および第３の実施の形態でも同様に適用する事ができる。
【００６２】
以上では、液晶注入装置のレシピ照合について説明したが、レシピに基づいて稼働する種々の生産設備、その他の装置に本発明を適用し得ることはいうまでもない。
【符号の説明】
【００６３】
ＬＣ１、ＬＣ２、・・・、ＬＣｎ  液晶注入装置
ＮＷ  ネットワーク                      ＰＣ  汎用コンピュータ
ＬＣＦ１〜ＬＣＦｎ  炉      ＬＣＰ１〜ＬＣＰｎ  操作パネル
ＴＰ１  タッチパネル                  ＧＭ１  グラフィックモニタ
ＳＶ  サーバ 
【図１】
2010266805.tif 000003
【図２】
2010266805.tif 000004
【図３】
2010266805.tif 000005
【図４】
2010266805.tif 000006
【図５】
2010266805.tif 000007
【図６】
2010266805.tif 000008
【図７】
2010266805.tif 000009
【図８】
2010266805.tif 000010
【図９】
2010266805.tif 000011
【図１０】
2010266805.tif 000012
【図１１】
2010266805.tif 000013
【図１２】
2010266805.tif 000014
【図１３】
2010266805.tif 000015
【図１４】
2010266805.tif 000016
【図１５】
2010266805.tif 000017
【図１６】
2010266805.tif 000018
【図１７】
2010266805.tif 000019
【図１８】
2010266805.tif 000020
【図１９】
2010266805.tif 000021
【図２０】
2010266805.tif 000022
【図２１】
2010266805.tif 000023
【図２２】
2010266805.tif 000024
【図２３】
2010266805.tif 000025